(57)【特許請求の範囲】
【請求項１】
受信された無線周波数（ＲＦ）信号を増幅し、入力ＲＦ信号を生成する低雑音増幅器と、前記低雑音増幅器の入力は第１の動作モードにおいて接地され、
前記低雑音増幅器に接続され、前記入力ＲＦ信号を局部発振器（ＬＯ）信号により周波数ダウンコンバートし、出力ベースバンド信号を生成するように作動する混合器と、
オフセット電圧に基づいた訂正信号を生成するための相互コンダクタンス増幅器と、
前記混合器からの前記出力ベースバンド信号および前記相互コンダクタンス増幅器からの前記訂正信号を受け取り、アナログ領域においてＤＣオフセットの第１の部分を取り除くために、前記出力ベースバンド信号から前記訂正信号を引くことにより出力信号を生成する第1の加算器と、
前記出力信号を受け取り、前記第１の動作モードにおいて前記オフセット電圧を生成するためのフィルタと、
前記第１の動作モードにおいて、前記フィルタの出力に接続され、前記アナログ領域において前記オフセット電圧により充電されるコンデンサと、前記相互コンダクタンス増幅器は、前記コンデンサから前記オフセット電圧を受け取り、
前記オフセット電圧が安定した値に達した後、ディジタル領域において、前記ＤＣオフセットの残りの部分に対応する前記コンデンサに保持された前記オフセット電圧の前記安定した値に等しい電圧値を記憶するレジスタと、
前記第１の動作モードにおいて、前記フィルタの出力を前記コンデンサに接続するための第1のスイッチと、前記第１のスイッチは、前記オフセット電圧が前記安定した値に達した後、前記フィルタの出力を前記コンデンサから切り離し、
前記第１のスイッチにより、前記フィルタの出力が前記コンデンサから切り離された後、前記コンデンサに保持された前記オフセット電圧の前記安定した値に等しい前記電圧値を受け取り、ディジタル化されたオフセット電圧を生成するアナログ／ディジタル変換器（ＡＤＣ）と、
を含み、
前記相互コンダクタンス増幅器は、前記コンデンサに保持された前記オフセット電圧に基づき前記訂正信号を生成し、
前記レジスタは、前記第１のスイッチにより、前記フィルタの出力が前記コンデンサから切り離された後に、前記ＡＤＣで生成された前記デジタル化されたオフセット電圧を記憶し、
前記第1のモードにおいて、前記第１のスイッチが前記フィルタの出力を前記コンデンサに接続するとき、前記相互コンダクタンス増幅器、前記第1の加算器、前記フィルタ、および前記第1のスイッチは閉じたフィードバックループを形成し、
前記フィードバックループは、前記オフセット電圧が縮小されるように構成される、回路。
【請求項２】
前記フィルタを前記コンデンサに接続するために前記第1のスイッチへ命令を送るための制御器をさらに含む請求項１の回路。
【請求項３】
前記ディジタル化されたオフセット電圧を記憶するために前記レジスタに前記ＡＤＣを接続するための第２のスイッチをさらに含む請求項２の回路。
【請求項４】
前記制御器は、前記フィルタを前記コンデンサから切り離すため前記第1のスイッチへ切断命令を送った後に、前記ＡＤＣを前記レジスタに接続するため前記第２のスイッチへ命令を送る請求項３の回路。
【請求項５】
ディジタル化された入力を受け取り、前記ディジタル化された入力から前記ディジタル化されたオフセット電圧を引くことによりディジタル化された出力を生成する、前記レジスタに接続された第２の加算器をさらに含む請求項４の回路。
【請求項６】
前記制御器は、前記レジスタが前記ディジタル化されたオフセット電圧を記憶した後、前記ＡＤＣを前記レジスタから切り離すために前記第２のスイッチへ切断命令を送る請求項４の回路。
【請求項７】
前記混合器の入力または前記低雑音増幅器の入力に漏洩された前記ＬＯ信号が前記オフセット電圧を生成する請求項１の回路。
【請求項８】
前記制御器は、前記オフセット電圧が安定した値に達した後、前記第１のスイッチへ前記切断命令を送る請求項４の回路。
【請求項９】
前記コンデンサは、前記第1の動作モードの終了の前に、前記オフセット電圧の前記安定した値を記憶する請求項８の回路。
【請求項１０】
前記第1の加算器は、第２の動作モード中に、前記出力ベースバンド信号から前記安定した値に基づいた訂正信号を引く請求項９の回路。
【発明の詳細な説明】
【技術分野】
【０００１】
本特許出願は、譲受人に譲渡され、ここに参照により明らかに組込まれた、２００５年９月２８日に申請された「ＤＣ  ＯＦＦＳＥＴ  ＣＡＮＣＥＬＬＡＴＩＯＮ  ＣＩＲＣＵＩＴ  ＦＯＲ、ＲＥＣＥＩＶＥＲ」と題する仮出願第６０／７２２，０６３に優先権を請求する。
【０００２】
本開示は、一般にエレクトロニクスに係り、特に、受信機におけるＤＣオフセット取消し回路に関する。
【背景技術】
【０００３】
ディジタル通信システムにおいて、送信機は、データ・チップを生成するためトラフィックデータを処理し、さらに無線周波数（ＲＦ）変調信号を生成するため、局部発振器（ＬＯ）信号をデータ・チップにより変調する。その後、送信機は通信チャネルを介してＲＦ変調信号を送信する。通信チャネルは、他の送信機からの雑音および恐らく干渉によってＲＦに変調された信号を劣化させる。
【０００４】
受信機は送信されたＲＦ変調信号を受信し、ＲＦからベースバンドへ受信ＲＦ信号をダウンコンバートし、サンプルを生成するためにベースバンド信号をディジタル化し、サンプルをディジタルで処理して送信機によって送られたトラフィックデータを回復する。受信機は１つ以上のダウンコンバージョン混合器を使用し、ＲＦからベースバンドへ受信ＲＦ信号を周波数ダウンコンバートする。理想的な混合器は、入力信号を歪ませることなく入力信号をある周波数から別の周波数に単に変換する。理想的な混合器は、１つの入力ポートに入力ＲＦ信号を、他の入力ポートにＬＯ発生器からのＬＯ信号を受け取り、ＬＯ信号を使用して入力ＲＦ信号をベースバンド信号へダウンコンバートする。
【０００５】
しかしながら、実際のダウンコンバージョン混合器では、ＬＯ信号発生器からのＬＯ信号は、入力ＲＦ信号のための入力ポートへ漏洩する。ＬＯ信号は、入力ＲＦ信号のための入力ポートとＬＯ信号のための入力ポートの間に存在するかもしれない容量性と基板カップリング（例えば、寄生キャパシタンス）を通して入力ＲＦ信号のための入力ポートへ漏洩する。更に、ＬＯ信号は、ダウンコンバージョン混合器に先行する低雑音増幅器（ＬＮＡ）の入力ポートへ漏洩するかもしれない。漏洩ＬＯ信号は、ダウンコンバージョン混合器の出力信号中にＤＣ成分を生成する。基本的に、ＤＣ成分はダウンコンバージョン混合器の出力信号にＤＣオフセットを作り、ＤＣオフセットはダウンコンバージョン混合器の出力信号をディジタル化するアナログ／ディジタル変換器（ＡＤＣ）を結局飽和させるかもしれない。したがって、ＡＤＣがＤＣオフセットによって飽和される時、ＡＤＣは正しくない値を出力するだろう。
【０００６】
したがって、漏洩ＬＯ信号によって生成されたＤＣオフセットを最小化する回路が技術において必要がある。
【発明の概要】
【０００７】
受信機のためのＤＣオフセット取消し回路がここに記述される。実施例では、受信機におけるＤＣオフセット取消し回路は、ＬＯ信号発生器からの漏洩ＬＯ信号によって引き起こされたＤＣオフセットを取り消す。受信機は、受信機が信号を受信していない場合に、送信モード中にＤＣオフセット取消し回路を使用することにより、それ自体を最初に較正する。受信機は、ＬＮＡがＬＯ信号発生器からの漏洩ＬＯ信号を除いて入力を受け取らないように、最初にＬＮＡの入力を接地することにより、それ自体を較正する。ダウンコンバージョン混合器は、ＬＯ信号発生器からの漏洩されたＬＯ信号に基づいて生成されるＬＮＡの出力を受け取る。さらに、混合器の入力はまた、ＬＯ信号発生器から直接漏洩ＬＯ信号を受け取るかもしれない。
【０００８】
ダウンコンバージョン混合器は受け取った信号をベースバンド信号へダウンコンバートする。ベースバンド信号は漏洩ＬＯ信号の生成物である。加算器はベースバンド信号を受け取り、ベースバンド信号から訂正信号を引く。生じるオフセット信号は、フィルタによって濾波され、オフセット電圧信号に変換される。受信機の中の制御器は、フィードバックループを形成するフィルタおよびコンデンサに接続されたスイッチを閉じ、かつオフセット電圧信号がコンデンサに記憶されることを可能にする。相互コンダクタンス・セルはオフセット電圧信号を受け取り、訂正信号を生成する。オフセット電圧信号が安定した値に達するまで、スイッチが閉じられ続ける。オフセット電圧信号が安定した値に達した後、制御器はスイッチを開く。アナログ／ディジタル変換器（ＡＤＣ）は安定したオフセット電圧信号をディジタル化し、ディジタル化された値は残余レジスタに記憶される。
【０００９】
受信モード中に、受信機が信号を受け取り、受信信号を処理する場合、相互コンダクタンス・セルはコンデンサに記憶されたオフセット電圧信号に基づいた訂正信号を生成する。加算器は、ＤＣオフセットを引き起こすあらゆる漏洩されたＬＯ信号を取り消すため、受信信号から訂正信号を引く。ＡＤＣは結果として生じる信号をディジタル化し、他の加算器は、どんな残る漏洩ＬＯ信号も取り消すため、ディジタル化された結果として生じる信号から残余レジスタに記憶されたディジタル化されたオフセット電圧信号を引く。
【００１０】
発明の種々の態様および実施例がさらに詳細に以下に記述される。
【００１１】
本発明の特徴および特質は、同様な参照文字が相応して同定する図面と共に得られた時、以下に述べられた詳述からより明白になるであろう。
【図面の簡単な説明】
【００１２】
【図１】ＤＣオフセット取消し回路を持った受信機を示す。
【図２】受信機における様々なスイッチの動作上のタイミング図を示す。
【図３】ＤＣオフセットを取り消すフローチャート処理を示す。
【発明を実施するための形態】
【００１３】
「典型的である」という単語は「例、実例あるいは例証として役立つ」ことを意味するためにここに使用される。「典型的な」ものとしてここに記述されたどんな実施例あるいは設計も他の実施例あるいは設計より好ましいまたは有利であるとして必ずしも解釈することができない。
【００１４】
ここに記述されたＤＣオフセット取消し回路は、直接変換受信機（ゼロ中間周波数受信機のような）および恐らく他のタイプの受信機のために使用されてもよい。直接変換受信機はＲＦからの受信ＲＦ信号を１つの段階で直接ベースバンドに周波数ダウンコンバートする。他のタイプの受信機は、多数の段階で周波数ダウンコンバージョンを行なう。異なるタイプの受信機は異なる回路ブロックを使用し、および/または異なる回路必要条件を持っていてもよい。明瞭さのために、ＤＣオフセット取消し回路は直接変換受信機について以下に述べられる。
【００１５】
図１は、ＤＣオフセット取消し回路を含むＲＦ受信機１００のブロック図を示す。受信機１００内では、低雑音増幅器（ＬＮＡ）８０が固定または可変利得で受信ＲＦ信号を増幅し、ＩとＱ信号の両方を含んでいる増幅されたＲＦ信号を提供する。ＩとＱ信号は９０°位相が異なるが同じ周波数を持っている。ダウンコンバージョン混合器９０は、入力ポート９１でＬＮＡ８０からＩ信号を受け取り、入力ポート９２でＬＯ発生器１０５からのＬＯ信号を受け取る。ＬＮＡ８０からのＱ信号は、以下に述べられるように、Ｉ信号と同じやり方でＱ信号を処理する別の並列回路によって処理される。簡潔さのために、記述はＩ信号の処理に導かれる；しかしながら、以下に与えられた記述はＱ信号の処理にも適用される。ダウンコンバージョン混合器９０は、受信ＲＦ信号からダウンコンバートされたベースバンド信号を出力する。ＬＯ信号の周波数は、関心のあるＲＦチャネルの信号成分がベースバンドまたはベースバンドの近くにダウンコンバートされるように選択される。しかしながら、上に説明されるように、ＬＯ信号は容量性と基板カップリング（例えば、寄生キャパシタンス）によって入力ポート９１、あるいはＬＮＡ８０の入力へ漏洩し、ＤＣオフセットを引き起こす。受信機１００は以下に述べられるようなＬＯ信号漏洩によって引き起こされたＤＣオフセットを取り消す。
【００１６】
送信モード（Ｔｘ）中に、受信機１００が信号を受信していない場合、受信機１００は、ＬＯ信号漏洩によって引き起こされたＤＣオフセットが取り消されるように、それ自体を較正するために次の動作を行なう。最初に、ＬＮＡ８０がアンテナ７０からなんら入力を受信しないように、ＡＣ接地に接続されるノード７５にＬＮＡ８０の入力を接続するために、制御器２１０はスイッチ７７へ命令を送る。したがって、ＬＮＡ８０の入力はノード７１から分離される。制御器２１０はプロセッサ、ＣＰＵ、ＤＳＰプロセッサ、ハードウェア状態マシンあるいはマイクロコントローラであってもよい。
【００１７】
図２に示されるように、スイッチ７７は時間Ｔ１中にターンオンし、ＬＮＡ８０の入力をノード７５に接続する。時間Ｔ１は送信モード中に生じる。ＬＮＡ８０の入力がＡＣ接地に接続されるので、ＬＮＡ８０はなにも出力を生成しない。しかしながら、ＬＯ信号はＬＮＡ８０の入力へ漏洩し、ＬＮＡ８０から出力を生成するかもしれない。ＬＮＡ８０の入力へ漏洩するＬＯ信号は、ＬＮＡ８０によって増幅されるだろう。漏洩されたＬＯ信号によって引き起こされた出力信号は、ダウンコンバージョン混合器９０の入力ポート９１へ入るであろう。更に、ＬＯ発生器１０５からのＬＯ信号は、また入力ポート９１へ直接漏洩するかもしれず、したがって、入力ポート９１はＬＮＡ８０からの増幅されたＬＯ信号およびＬＯ発生器１０５からのＬＯ信号を受け取るかもしれない。ダウンコンバージョン混合器９０は漏洩されたＬＯ信号によって引き起こされた電流信号Ｉｌｅａｋを出力する。Ｉｌｅａｋ信号は漏洩されたＬＯ信号から下方へ変換された基本的にベースバンド信号（即ち、ＤＣオフセット信号）である。
【００１８】
受信機１００が受信モード（Ｒｘ）で作動している場合、ダウンコンバージョン混合器９０はＩｌｅａｋおよび受信信号の組合せである電流信号を生成する。Ｉｌｅａｋの影響が取り消されない、または最小化されない場合、Ｉｌｅａｋは結局アナログ／ディジタル変換器（ＡＤＣ）１３０を飽和させるかもしれない。しかしながら、受信機１００は、以下にさらに説明されるように、Ｉｌｅａｋによって引き起こされたＤＣオフセットを取り消す。
【００１９】
受信機１００が信号を受け取っていない時、送信モード中に受信機１００によって行なわれる較正を参照すると、加算器９５はＩｌｅａｋおよびＧｍセル２００の出力からのＩｃｏｒｒｅｃｔｉｏｎ電流信号を受け取り、（Ｉｌｅａｋ−Ｉｃｏｒｒｅｃｔｉｏｎ）に等しい電流信号Ｉｏｆｆｓｅｔを出力する。当初は、Ｉｃｏｒｒｅｃｔｉｏｎは０にほぼ等しいかもしれない。したがってＩｏｆｆｓｅｔは始めにＩｌｅａｋと等しいかもしれない。しかしながら、Ｉｃｏｒｒｅｃｔｉｏｎの値はＩｏｆｆｓｅｔの影響を取り消すようにやがて増加するだろう。
【００２０】
ローパスフィルタ１１０はＩｏｆｆｓｅｔを受け取り、電圧信号Ｖｏｆｆｓｅｔを出力する。Ｖｏｆｆｓｅｔは電流信号Ｉｏｆｆｓｅｔを表わす電圧信号である。一般に、ローパスフィルタ１１０は、興味のあるＲＦチャネルの信号成分を通し、かつジャマー信号のような雑音と不要信号の成分を削除するためにダウンコンバージョン混合器９０からのベースバンド信号をフィルタにかける。ローパスフィルタ１１０はＲｆｉｌｔｅｒとして指定された出力インピーダンスを持つ。
【００２１】
バッファ１２０は電圧信号Ｖｏｆｆｓｅｔを受け取り、同じ電圧信号Ｖｏｆｆｓｅｔを出力する。バッファ１２０はＡＤＣ１３０の入力を駆動するために使用される単位利得バッファである。バッファ１２０の出力はスイッチ１８０のノード１８１に接続される。図２で示されるように、受信機１００が送信モード（Ｔｘ）にあり、漏洩されたＬＯ信号によって作られたＤＣオフセットを取り消すためにそれ自体を較正している場合に、制御器２１０は時間期間Ｔ１中にスイッチ１８０を閉じるためにスイッチ１８０に命令を送る（即ち、ノード１８１をノード１８２に接続する）。受信機１００はＴ１＋Ｔ２と等しい時間期間Ｔ３中にそれ自体を較正する。上に説明されるように、制御器２１０はまた、ノード７５にＬＮＡ８０の入力を接続するためにスイッチ７７に時間期間Ｔ１中に命令を送る。
【００２２】
図１を参照すると、スイッチ１８０が閉じる場合に、コンデンサＣｓはＶｏｆｆｓｅｔと等しい電圧まで充電を開始する。Ｇｍセル２００は電圧信号Ｖｏｆｆｓｅｔを受け取り、Ｇｍ＊Ｖｏｆｆｓｅｔに等しい電流信号Ｉｃｏｒｒｅｃｔｉｏｎを出力する。Ｇｍセル２００は受け取った電圧信号に基づいた電流信号を生成する相互コンダクタンス増幅器である。Ｇｍセル２００はＧｍと等しい相互コンダクタンスを持っている。加算器９５はＧｍセル２００から電流信号Ｉｃｏｒｒｅｃｔｉｏｎを受け取り、ＩｌｅａｋからＩｃｏｒｒｅｃｔｉｏｎを引く。
【００２３】
したがって、スイッチ１８０が閉成される場合、ローパスフィルタ１１０、バッファ１２０、Ｇｍセル２００および加算器９５は閉じたフィードバックループを形成し、Ｖｏｆｆｓｅｔの値は次の方程式によって決定される。
【００２４】
［Ｉｌｅａｋ−Ｉｃｏｒｒｅｃｔｉｏｎ］＊  Ｒｆｉｌｔｅｒ＝Ｖｏｆｆｓｅｔ
［Ｉｌｅａｋ−Ｖｏｆｆｓｅｔ＊Ｇｍ］＊  Ｒｆｉｌｔｅｒ＝Ｖｏｆｆｓｅｔ  したがって、
Ｖｏｆｆｓｅｔ＝（Ｉｌｅａｋ＊  Ｒｆｉｌｔｅｒ）／（１＋Ｇｍ＊  Ｒｆｉｌｔｅｒ）
したがって、受信機１００におけるＤＣオフセット取消し回路は、スイッチ１８０、１７５および７７、Ｇｍセル２００、加算器９５およびコンデンサＣｓを含んでいる。受信機１００におけるＤＣオフセット取消し回路なしでは、ＶｏｆｆｓｅｔはＩｌｅａｋ＊  Ｒｆｉｌｔｅｒと等しいだろう。しかしながら、上記の方程式によって示されるように、Ｖｏｆｆｓｅｔは（１＋Ｇｍ＊Ｒｆｉｌｔｅｒ）の因数により縮小される。したがって、スイッチ１８０、ローパスフィルタ１１０、バッファ１２０、Ｇｍセル２００および加算器９５によって形成された閉じたフィードバックループは、粗ＤＣオフセット取消しを行なう。
【００２５】
Ｖｏｆｆｓｅｔの値は、結局安定した値に定着し、コンデンサＣｓは安定した値に充電される。時間期間Ｔ１の長さは、ローパスフィルタ１１０、バッファ１２０およびＧｍセル２００のオペレーティング・パラメータに基づいて予め決定され、その結果時間期間Ｔ１の長さはＶｏｆｆｓｅｔがある値に定着するために十分に長い。
【００２６】
時間期間Ｔ１の終わりに、Ｖｏｆｆｓｅｔが安定した値に達した場合、制御器２１０はノード１８１がノード１８２から分離されるようにスイッチ１８０を開くようにスイッチ１８０に命令を送る。コンデンサＣｓは、スイッチ１８０が開いた後、Ｖｏｆｆｓｅｔの安定した値を保持する。アナログ／ディジタル変換器（ＡＤＣ）１３０は、Ｖｏｆｆｓｅｔの安定した値を受け取り、Ｖｏｆｆｓｅｔをディジタル値に変換する。ＡＤＣの任意タイプがＡＤＣ１３０を実施するために使用されてもよいが、受信機１００は、デルタ・シグマＡＤＣのような高いダイナミック・レンジの雑音形ＡＤＣ、または他の雑音形ＡＤＣによる動作が理想的に適している。ディジタルフィルタ１４０は、Ｖｏｆｆｓｅｔのディジタル化された値を受け取り、受信信号の中にある量子化雑音を減じ、またジャマーフィルタリングを行なう。
【００２７】
制御器２１０がスイッチ１８０を開いた後、制御器２１０は、残余レジスタ１７０の入力にノード１４１を接続するためにスイッチ１７５に命令を送る。スイッチ１７５が閉成される場合、残余レジスタ１７０は安定されたＶｏｆｆｓｅｔのディジタル値を受け取り、Ｖｏｆｆｓｅｔのディジタル値を記憶する。記憶されたＶｏｆｆｓｅｔのディジタル値は、スイッチ１８０、Ｇｍセル２００、コンデンサＣｓおよび加算器９５によって行なわれた粗取消しによって取り消されなかったＶｏｆｆｓｅｔのどんな残余値も取り消すために使用されるだろう。言いかえれば、残余レジスタ１７０および加算器１５０は、以下により詳細に説明されるように、Ｖｏｆｆｓｅｔによって引き起こされたＤＣオフセットの精取消しを行なうだろう。
【００２８】
制御器２１０は、Ｖｏｆｆｓｅｔのディジタル値が残余レジスタ１７０に記憶された後、残余レジスタ１７０の入力からノード１４１を分離するためにスイッチ１７５に命令を送る。このステップの後、較正動作は終了される。
【００２９】
図２で示されるように、送信モードが終了される時、受信機１００は受信モード（Ｒｘ）に入り、受信機１００が信号を受信しかつ処理する。受信機１００はコンデンサＣｓに記憶された電圧（Ｖｏｆｆｓｅｔの安定した値）および残余レジスタ１７０に記憶されたＶｏｆｆｓｅｔのディジタル値を使用し、受信機１００が受信モードで作動している時、ＬＯ発生器１０５からの漏洩電流によって引き起こされたＤＣオフセットを取り消す。
【００３０】
受信モード中に、受信機１００は、ＬＯ発生器１０５からの漏洩されたＬＯ信号によって引き起こされたＤＣオフセットを取り消すために次の動作を行なう。受信モード中に、スイッチ１８０、１７５および７７はターンオフされる（つまり、それらは切り離される）。アンテナ７０は信号を受信し、また、ＬＮＡ８０は受信信号を受け取り、増幅する。上で説明されたように、ＬＯ発生器１０５からのＬＯ信号はＬＮＡ８０の入力へ漏洩するかもしれない。ＬＯ信号がＬＮＡ８０の入力へ漏洩する場合、ＬＮＡ８０は受信信号および漏洩されたＬＯ信号の組合せである増幅信号を出力する。
【００３１】
ダウンコンバージョン混合器９０は、増幅された漏洩されたＬＯ信号を含んでいるかもしれないＬＮＡ８０からの増幅された信号を受け取り、受信信号をベースバンド信号へダウンコンバートする。さらに、ＬＯ信号はまたダウンコンバージョン混合器９０の入力９１へ漏洩し、ＬＮＡ８０からの増幅信号と結合するかもしれない。したがって、混合器９０によって出力されたベースバンド信号は、漏洩されたＬＯ信号によって引き起こされたＩｌｅａｋ信号を含んでいる。加算器９５は混合器９０からベースバンド信号を受け取り、Ｇｍセル２００からＩｃｏｒｒｅｃｔｉｏｎ信号を受け取る。加算器９５はベースバンド信号からＩｃｏｒｒｅｃｔｉｏｎ信号を引く。Ｇｍセル２００は、コンデンサＣｓに記憶された安定したＶｏｆｆｓｅｔ値に基づいてＩｃｏｒｒｅｃｔｉｏｎ信号を生成する。上で説明されたように、Ｖｏｆｆｓｅｔは、前の送信モード中に生じた較正中にコンデンサＣｓに記憶される。したがって、Ｉｃｏｒｒｅｃｔｉｏｎ信号は、上で説明されたように、漏洩されたＬＯ信号によって生成されたＩｌｅａｋ信号の粗取消しを行なう。
【００３２】
ローパスフィルタ１１０は加算器９５からベースバンド信号を受け取り、興味のあるＲＦチャネルの信号成分を通し、かつジャマー信号のような雑音と不要信号の成分を削除するためにダウンコンバージョン混合器９０からのベースバンド信号をフィルタにかける。ローパスフィルタ１１０は電圧信号を出力する。バッファ１２０はフィルタにかけられたベースバンド信号を受け取り、受け取ったベースバンド信号でＡＤＣ１３０を駆動する。ほとんどのＩｌｅａｋ信号がＩｃｏｒｒｅｃｔｉｏｎ信号によって取り消されたので、ベースバンド信号はＡＤＣ１３０を飽和させない。ＡＤＣ１３０はベースバンド信号を受け取り、対応するディジタル信号を出力する。
【００３３】
ディジタルフィルタ１４０はディジタル信号を受け取り、受け取ったディジタル信号中にある量子化雑音を減じて、ジャマーフィルタリングを行なう。加算器１５０はフィルタにかけられたディジタル信号および残余レジスタ１７０に記憶された残余のＶｏｆｆｓｅｔ値を受け取る。漏洩されたＬＯ信号によって引き起こされたＩｌｅａｋ信号の精取消しを行なうために、加算器１５０はフィルタにかけられたディジタル信号から残余のＶｏｆｆｓｅｔ値を差し引く。言いかえれば、加算器１５０は、受け取られたディジタル信号から残余のＶｏｆｆｓｅｔ値を引くことにより、Ｉｃｏｒｒｅｃｔｉｏｎ信号によって取り消されなかったＩｌｅａｋ信号のどんな部分も取り消す。加算器１５０は、さらなる処理のためＤＳＰプロセッサ１６０へ差し引かれた残余のＶｏｆｆｓｅｔをもつディジタル信号を出力する。受信機１００によって行なわれた上記の処理は、Ｉｌｅａｋ信号によって引き起こされたＤＣオフセットを取り消す。
【００３４】
次の送信モードでは、受信機１００は別の較正を行ない、漏洩されたＬＯ信号により引き起こされたＩｌｅａｋ信号を取り消すため、コンデンサＣｓおよび残余レジスタ１７０に別のＶｏｆｆｓｅｔ値を記憶する。
【００３５】
図３は、本発明の実施例に従ってＤＣオフセット取消し方法３００を概説するフローチャートを示す。
【００３６】
ステップ３１０において、ＤＣオフセット取消し回路を持った受信機が送信モードに入る場合、低雑音増幅器の入力は第1のスイッチをターンオンすることによりＡＣ接地される。ステップ３２０において、フィードバックループ回路は、第1のスイッチと同時に第2のスイッチを閉じることにより形成される。ステップ３３０において、低雑音増幅器からの出力ＲＦ信号は、漏洩されたＬＯ信号に起因するベースバンド信号、Ｉｌｅａｋへダウンコンバートされる。ステップ３４０において、相互コンダクタンス増幅器によって生成された取消し信号Ｉｃｏｒｒｅｃｔｉｏｎは、Ｉｌｅａｋから引かれる。ステップ３５０において、結果として生じる信号（Ｉｌｅａｋ−Ｉｃｏｒｒｅｃｔｉｏｎ）はフィルタにかけられ、電圧信号Ｖｏｆｆｓｅｔに変換される。ステップ３６０において、Ｖｏｆｆｓｅｔはコンデンサを充電することによりコンデンサに記憶される。ステップ３７０において、相互コンダクタンス増幅器は、Ｖｏｆｆｓｅｔ信号に基づいたＩｃｏｒｒｅｃｔｉｏｎ信号を生成する。ステップ３８０において、Ｖｏｆｆｓｅｔが安定した値に達するまで、ステップ３４０ないし３７０が繰り返される。ステップ３９０において、第1および第2のスイッチがターンオフされ、フィードバックループを解体する。ステップ４００において、安定したＶｏｆｆｓｅｔ信号はディジタル信号に変換される。ステップ４１０において、ディジタルＶｏｆｆｓｅｔ信号は残余レジスタに記憶される。ステップ４２０において、受信機が受信モードに入り、信号を受信する場合、相互コンダクタンス増幅器によって生成されたＩｃｏｒｒｅｃｔｉｏｎ信号は漏洩されたＬＯ信号により引き起こされたＤＣオフセットを取り消すため、受信信号から減算される。ステップ４３０において、結果として生じる信号はディジタル化される。ステップ４４０において、レジスタに記憶されたディジタルＶｏｆｆｓｅｔ信号は、どんな残余のＤＣオフセットも取り消すため、ディジタル化された受信信号から減算される。
【００３７】
ここに記述されたＤＣオフセット取消し回路は、様々な通信システムに使用されてもよい。例えば、ＤＣオフセット取消し回路は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、多入力多出力（ＭＩＭＯ）システム、無線ローカルエリアネットワーク（ＬＡＮ）などに使用されてもよい。ＣＤＭＡシステムは、広帯域ＣＤＭＡ（Ｗ−ＣＤＭＡ（登録商標））、ｃｄｍａ２０００などのような無線アクセス技術（ＲＡＴ）を実施してもよい。ＲＡＴはオーバーザエアー通信に使用された技術を指す。ＴＤＭＡシステムは、グローバル移動体通信システム（ＧＳＭ（登録商標））のようなＲＡＴを実施してもよい。ユニバーサル・モービル・テレコミュニケーション・システム（ＵＭＴＳ）はＲＡＴとしてＷ−ＣＤＭＡおよびＧＳＭを使用するシステムである。ＤＣオフセット取消し回路はまた、例えば、８２４から８９４ＭＨｚまでのセルラ帯域、１８５０から１９９０ＭＨｚまでのパーソナル通信システム（ＰＣＳ）帯域、１７１０から１８８０ＭＨｚまでのディジタルセルラ通信（ＤＣＳ）帯域、１９２０から２１７０ＭＨｚまでの国際移動通信−２０００（ＩＭＴ−２０００）帯域、などのような様々な周波数帯に使用されてもよい。
【００３８】
ここに記述されたＤＣオフセット取消し回路は、集積回路（ＩＣ）、ＲＦ集積回路（ＲＦＩＣ）、特定用途向け集積回路（ＡＳＩＣ）、プリント配線回路用基板（ＰＣＢ）、電子装置など内で実施されてもよい。ＤＣオフセット取消し回路はまた、相補型金属酸化膜半導体（ＣＭＯＳ）、ＮチャネルＭＯＳ（Ｎ−ＭＯＳ）、ＰチャネルＭＯＳ（Ｐ−ＭＯＳ）、バイポーラ接合トランジスタ（ＢＪＴ）、バイポーラＣＭＯＳ（ＢｉＣＭＯＳ）、シリコン・ゲルマニウム（ＳｉＧｅ）、ガリウム砒素（ＧａＡｓ）などのような様々なＩＣプロセス技術で作り上げられてもよい。
【００３９】
たとえ本発明の様々な実施例および利点が先の記述で述べられたとしても、上記の開示が例証のみであり、発明の大原則内のままである変更は詳細に行なわれてもよいことが理解される。したがって、本発明は添付請求項によってのみ制限されるべきである。
以下に、本願出願の当初の特許請求の範囲に記載された発明を付記する。
［Ｃ１］
オフセット電圧に基づいた訂正信号を生成するための相互コンダクタンス増幅器と、
入力信号および訂正信号を受け取り、入力信号から訂正信号を引くことにより出力信号を生成する第1の加算器と、
出力信号を受け取り、オフセット電圧を生成するためのフィルタと、
オフセット電圧を記憶するためのコンデンサとを含む回路。
［Ｃ２］
第1の動作モード中にオフセット電圧を記憶するために、フィルタをコンデンサに接続するための第1のスイッチをさらに含むＣ１の回路。
［Ｃ３］
フィルタをコンデンサに接続する第1のスイッチへ命令を送るための制御器をさらに含むＣ２の回路。
［Ｃ４］
オフセット電圧を受け取り、ディジタル化されたオフセット電圧を生成するアナログ／ディジタル変換器（ＡＤＣ）をさらに含むＣ３の回路。
［Ｃ５］
ディジタル化されたオフセット電圧を記憶するためのレジスタと、
ディジタル化されたオフセット電圧を記憶するためにレジスタにＡＤＣを接続するための第2のスイッチとをさらに含むＣ４の回路。
［Ｃ６］
制御器は、フィルタをコンデンサから切り離すため第1のスイッチへ切断命令を送った後に、ＡＤＣをレジスタに接続するため第２のスイッチへ命令を送るＣ５の回路。
［Ｃ７］
ディジタル化された入力を受け取り、ディジタル化された入力からディジタル化されたオフセット電圧を引くことによりディジタル化された出力を生成するため、レジスタに接続された第2の加算器をさらに含むＣ６の回路。
［Ｃ８］
制御器は、レジスタがディジタル化されたオフセット電圧を記憶した後、ＡＤＣをレジスタから切り離す第２のスイッチへ切断命令を送るＣ６の回路。
［Ｃ９］
入力無線周波数（ＲＦ）信号を局部発振器（ＬＯ）信号により周波数ダウンコンバートし、出力ベースバンド信号を生成するように作動する混合器を含み、出力ベースバンド信号は第1の加算器への入力信号であるＣ８の回路。
［Ｃ１０］
混合器への入力ＲＦ信号を生成するために、受信されたＲＦ信号を増幅する低雑音増幅器をさらに含むＣ９の回路。
［Ｃ１１］
混合器の入力に漏洩されたＬＯ信号または低雑音増幅器の入力がオフセット電圧を生成するＣ１０の回路。
［Ｃ１２］
制御器は、オフセット電圧が安定した値に達した後、第1のスイッチへ切断命令を送るＣ６の回路。
［Ｃ１３］
コンデンサは、第1の動作モードの終了の前に、オフセット電圧の安定した値を記憶するＣ１２の回路。
［Ｃ１４］
第1の加算器は、第２の動作モード中に、入力信号から安定した値に基づいた訂正信号を引くＣ１３の回路。
［Ｃ１５］
（ａ）ＲＦ信号をベースバンド信号へダウンコンバートすること、（ｂ）ベースバンド信号から訂正信号を引き、オフセット信号を生成すること、（ｃ）オフセット信号に基づいた訂正信号を生成することを含む方法。
［Ｃ１６］
オフセット信号が安定した値に達するまで、ステップ（ａ）ないし（ｃ）を繰り返すことをさらに含むＣ１５の方法。
［Ｃ１７］
オフセット信号の安定した値を記憶することをさらに含むＣ１６の方法。
［Ｃ１８］
ＲＦ信号を生成するために増幅器の入力を接地することをさらに含むＣ１７の方法。
［Ｃ１９］
ＲＦ信号が漏洩された局部発振器信号によって引き起こされるＣ１８の方法。
［Ｃ２０］
オフセット信号の安定した値をディジタル化してディジタル化されたオフセット信号を生成すること、
ディジタル化されたオフセット信号をレジスタに記憶すること、をさらに含むＣ１７の方法。
［Ｃ２１］
受信されたＲＦ信号を受信されたベースバンド信号へダウンコンバートすることさらに含むＣ２０の方法。
［Ｃ２２］
オフセット信号の記憶された安定した値に基づいて訂正信号の生成すること、
訂正されたベースバンド信号を生成するため、受信されたベースバンド信号からの記憶された安定した値から生成された訂正信号を引くこと、をさらに含むＣ２１の方法。
［Ｃ２３］
ディジタル化された訂正された信号を生成するため、訂正されたベースバンド信号をディジタル化すること、
ディジタル化された訂正された信号から記憶されたディジタル化されたオフセット信号を引くこと、をさらに含むＣ２２の方法。
［Ｃ２４］
ＲＦ信号をベースバンド信号へダウンコンバートする手段、
オフセット信号を生成するためにベースバンド信号から訂正信号を引く手段、
オフセット信号に基づいた訂正信号を生成する手段を含む装置。
［Ｃ２５］
オフセット信号が安定した値に達するＣ２４の装置。
［Ｃ２６］
オフセット信号の安定した値を記憶する手段をさらに含むＣ２５の装置。
［Ｃ２７］
ＲＦ信号を生成するために増幅器の入力を接地する手段をさらに含むＣ２６の装置。
［Ｃ２８］
ＲＦ信号は漏洩された局部発振器信号によって引き起こされるＣ２７の装置。
［Ｃ２９］
ディジタル化されたオフセット信号を生成するために、オフセット信号の安定した値をディジタル化する手段、
ディジタル化されたオフセット信号を記憶する手段をさらに含むＣ２８の装置。
［Ｃ３０］
オフセット信号の記憶された安定した値がベースバンド信号から引かれるＣ２６の装置。
［Ｃ３１］
受信されたディジタル化されたベースバンド信号から記憶されたディジタル化されたオフセット信号を引く手段をさらに含むＣ２９の装置。
［Ｃ３２］
増幅器の入力を接地接続し、
訂正信号を生成するフィードバックループを形成するためにフィルタをコンデンサに接続する、操作可能な命令を受信機において記憶するためのプロセッサ読取り可能な媒体。
［Ｃ３３］
訂正信号が安定した値に達した後、フィルタをコンデンサから切り離す、操作可能な命令をさらに記憶するためのＣ３２のプロセッサ読取り可能な媒体。
【図１】
0006363135.tif 000002
【図２】
0006363135.tif 000003
【図３】
0006363135.tif 000004